(57)【要約】      （修正有）【課題】無線通信システムにおけるランダムアクセス設定のための方法及び装置を提供する。【解決手段】ユーザ機器（ＵＥ）は、ネットワークノードから、１つのＲＡＣＨ（ランダムアクセスチャネル）設定を複数の帯域幅部分（ＢＷＰ）のうちの１つのＢＷＰに関連付けるための情報を受信する７０５。ＵＥは、ＢＷＰに関連付けられたＲＡＣＨ設定を使用して、ＢＷＰを利用してＲＡＣＨ送信を実行する７１０。【選択図】図７
2020074581.tif 000002
【特許請求の範囲】
【請求項１】
ユーザ機器（ＵＥ）のための方法であって、該ＵＥが複数の帯域幅部分（ＢＷＰ）で設定され、当該方法は、
ＲＡＣＨ（ランダムアクセスチャネル）設定及び該ＲＡＣＨ設定と前記複数のＢＷＰのうちの少なくとも１つのＢＷＰとの関連付けを示す情報をネットワークノードから受信するステップと、
現在アクティブなＢＷＰに関連付けられたＲＡＣＨ設定がある場合に、該ＲＡＣＨ設定を使用して、該現在アクティブなＢＷＰにおいてＲＡＣＨ送信を実行するためのＲＡＣＨリソースを選択するステップと、
前記現在アクティブなＢＷＰにおいて使用され得るＲＡＣＨリソースがない場合に、現在アクティブではないＢＷＰにおいてＲＡＣＨ送信を実行するためのＲＡＣＨリソースを選択するステップと、を含む方法。
【請求項２】
前記情報が前記現在アクティブなＢＷＰの設定に含まれる場合、前記ＲＡＣＨ設定が前記現在アクティブなＢＷＰに関連付けられているとされる、請求項１に記載の方法。
【請求項３】
前記情報は、前記ＲＡＣＨ設定を識別する、請求項１に記載の方法。
【請求項４】
各ＲＡＣＨ設定は、前記複数のＢＷＰのうちの対応する１つのＢＷＰに関連付けられる、請求項１に記載の方法。
【請求項５】
前記ＵＥは、複数のＲＡＣＨ設定で設定される、請求項１に記載の方法。
【請求項６】
前記ＵＥは、前記現在アクティブなＢＷＰにおいてＰＵＳＣＨ（物理アップリンク共有チャネル）でＵＬ（アップリンク）送信を実行する、請求項１に記載の方法。
【請求項７】
前記ＵＥが、ＢＷＰをアクティブにするためのシグナリングを前記ネットワークノードから受信するステップをさらに含む、請求項１に記載の方法。
【請求項８】
前記ＲＡＣＨ送信は、ランダムアクセスプリアンブルの送信である、請求項１に記載の方法。
【請求項９】
ユーザ機器（ＵＥ）であって、当該ＵＥが複数の帯域幅部分（ＢＷＰ）で設定され、当該ＵＥは、
制御回路と、
前記制御回路に設けられたプロセッサと、
前記制御回路に設けられ、前記プロセッサと動作可能に結合されたメモリと、を含み、
前記プロセッサは、前記メモリに記憶されたプログラムコードを実行して、
ＲＡＣＨ（ランダムアクセスチャネル）設定及び該ＲＡＣＨ設定と前記複数のＢＷＰのうちの少なくとも１つのＢＷＰとの関連付けを示す情報をネットワークノードから受信することと、
現在アクティブなＢＷＰに関連付けられているＲＡＣＨ設定がある場合に、該ＲＡＣＨ設定を使用して、該現在アクティブなＢＷＰにおいてＲＡＣＨ送信するためのＲＡＣＨリソースを選択することと、
前記現在アクティブなＢＷＰにおいて使用され得るＲＡＣＨリソースがない場合に、現在アクティブではないＢＷＰにおいてＲＡＣＨ送信を実行するためのＲＡＣＨリソースを選択する、ＵＥ。
【請求項１０】
前記情報が前記現在アクティブなＢＷＰの設定に含まれる場合、前記ＲＡＣＨ設定は前記現在アクティブなＢＷＰに関連付けられているとされる、請求項９に記載のＵＥ。
【請求項１１】
前記情報は、前記ＲＡＣＨ設定を識別する、請求項９に記載のＵＥ。
【請求項１２】
各ＲＡＣＨ設定は、前記複数のＢＷＰのうちの対応する１つのＢＷＰに関連付けられる、請求項９に記載のＵＥ。
【請求項１３】
前記ＵＥは、複数のＲＡＣＨ設定で設定される、請求項９に記載のＵＥ。
【請求項１４】
前記ＵＥは、前記現在アクティブなＢＷＰにおいてＰＵＳＣＨ（物理アップリンク共有チャネル）でＵＬ（アップリンク）送信を実行する、請求項９に記載のＵＥ。
【請求項１５】
前記ＵＥが、ＢＷＰをアクティブにするためのシグナリングを前記ネットワークノードから受信するステップをさらに含む、請求項９に記載のＵＥ。
【請求項１６】
前記ＲＡＣＨ送信は、ランダムアクセスプリアンブルの送信である、請求項９に記載のＵＥ。
【発明の詳細な説明】
【技術分野】
【０００１】
本願は、２０１７年８月１８日に出願された米国仮特許出願第６２／５４７，３７３号の利益を主張するものであり、そのすべての開示は全体として参照により本明細書に援用される。
【０００２】
この開示は、概して、無線通信ネットワークに関連し、より詳細には、無線通信システムにおけるランダムアクセス設定のための方法及び装置に関連する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。そのようなＩＰデータパケット通信は、移動体通信デバイスのユーザに、ボイスオーバＩＰ、マルチメディア、マルチキャスト、及びオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰ及びマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展及び確定に向けて検討されている。
【発明の概要】
【０００５】
ユーザ機器（ＵＥ）の観点からの方法及び装置が開示され、ＵＥが複数の帯域幅部分（ＢＷＰ）で設定される。一実施形態では、本方法は、ＵＥが、１つのＲＡＣＨ（ランダムアクセスチャネル）設定を複数のＢＷＰのうちの１つのＢＷＰに関連付けるための情報をネットワークノードから受信するステップを含む。本方法は、ＢＷＰに関連付けられたＲＡＣＨ設定を使用して、ＢＷＰにおいてＲＡＣＨ送信を実行するステップをさらに含む。
【図面の簡単な説明】
【０００６】
【図１】例示的な一実施形態による無線通信システムの図を示す。
【図２】例示的な一実施形態による送信機システム（アクセスネットワークとしても知られている）及び受信機システム（ユーザ機器又はＵＥとしても知られている）のブロック図である。
【図３】例示的な一実施形態による通信デバイスの機能ブロック図である。
【図４】例示的な一実施形態による図３のプログラムコードの機能ブロック図である。
【図５】例示的な一実施形態による図である。
【図６】例示的な一実施形態による図である。
【図７】例示的な一実施形態によるフローチャートである。
【図８】例示的な一実施形態によるフローチャートである。
【図９】例示的な一実施形態によるフローチャートである。
【図１０】例示的な一実施形態によるフローチャートである。
【発明を実施するための形態】
【０００７】
以下に説明する例示的な無線通信システム及びデバイスは、無線通信システムを採用し、ブロードキャストサービスをサポートする。無線通信システムは、音声、データ等の様々なタイプの通信を提供するように広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ  ＮＲ（New  Radio：新しい無線）、３ＧＰＰ２  ＵＭＢ（Ultra  Mobile  Broadband：超モバイル広帯域）、ＷｉＭａｘ、又はその他何らかの変調技術に基づいてよい。
【０００８】
特に、以下に説明する例示的な無線通信システム及びデバイスは、本明細書において３ＧＰＰと呼ばれる「第３世代パートナーシッププロジェクト」という名称のコンソーシアムにより提示される標準などの１つ以上の標準をサポートするように設計されてよく、その標準は、TR  38.802  v14.1.0，“Study  on  new  Radio  Access  Technology;  Physical  layer  aspects  (Release  14)”、TS  36.331  v14.2.0，“E-UTRA;  RRC  protocol  specification  (Release  14)”、TS  36.211  v14.3.0，“E-UTRA;  Physical  channels  and  modulation  (Release  14)”、TR  38.804  v14.0.0，“Study  on  New  Radio  Access  Technology;  Radio  Interface  Protocol  Aspects  (Release  14)”、TS  36.304  V14.2.0，“E-UTRA;  UE  procedures  in  idle  mode”、TS  36.321  V14.1.0，“E-UTRA;  MAC  protocol  specification”、TS  36.322  V14.1.0，“E-UTRA;  RLC  protocol  specification”、及びTS  36.323  V14.1.0,  “E-UTRA;  PDCP  protocol  specification”を含む。上記に挙げた標準及び文書は、全体として参照により本明細書に明示的に援用される。
【０００９】
図１は、本発明の一実施形態に係る多重アクセス無線通信システムを示している。アクセスネットワーク１００（ＡＮ）は、複数のアンテナグループを含み、あるグループは１０４及び１０６、別のグループは１０８及び１１０、また別のグループは１１２及び１１４を含む。図１においては、各アンテナグループに対して、アンテナが２つしか示されていないが、より多くの又はより少ないアンテナが各アンテナグループに利用されてよい。アクセス端末１１６（ＡＴ）は、アンテナ１１２及び１１４と通信しており、アンテナ１１２及び１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６及び１０８と通信しており、アンテナ１０６及び１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、及び１２６は通信に異なる周波数を使用してよい。例えば、順方向リンク１２０では、逆方向リンク１１８によって使用される周波数とは異なる周波数を使用してよい。
【００１０】
アンテナの各グループ及び／又はアンテナが通信するように設計されたエリアは、アクセスネットワークのセクターと称することが多い。本実施形態において、アンテナグループはそれぞれ、アクセスネットワーク１００によってカバーされるエリアのセクターにおいて、アクセス端末と通信するように設計されている。
【００１１】
順方向リンク１２０及び１２６を介した通信において、アクセスネットワーク１００の送信アンテナは、異なるアクセス端末１１６及び１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１２】
アクセスネットワーク（ＡＮ）は、端末と通信するのに使用される固定局又は基地局でよく、アクセスポイント、ノードＢ、基地局、拡張型基地局、進化型ノードＢ（ｅＮＢ）、又はその他何らかの専門用語で呼ばれることもある。アクセス端末（ＡＴ）は、ユーザ機器（ＵＥ）、無線通信デバイス、端末、アクセス端末、又はその他何らかの専門用語で呼ばれることもある。
【００１３】
図２は、ＭＩＭＯシステム２００における送信機システム２１０（アクセスネットワークとしても知られている）及び受信機システム２５０（アクセス端末（ＡＴ）又はユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１４】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、及びインターリーブして、符号化データを提供する。
【００１５】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロット及び符号化データは、データストリームに対して選択された特定の変調方式（例えば、ＢＰＳＫ、ＱＰＳＫ、Ｍ−ＰＳＫ、又はＭ−ＱＡＭ）に基づいて変調（すなわち、シンボルマッピング）されて、変調シンボルを提供する。各データストリームについてのデータレート、符号化、及び変調は、プロセッサ２３０により実行される命令によって決定されてよい。
【００１６】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボル及びシンボルが送信されているアンテナに適用する。
【００１７】
各送信機２２２は、各シンボルストリームを受信及び処理して１つ以上のアナログ信号を提供し、さらに、アナログ信号を調節（例えば、増幅、フィルタリング、及びアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００１８】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、及びダウンコンバート）して、調節された信号をデジタル化してサンプルを与え、さらに、これらのサンプルを処理して対応する「受信」シンボルストリームを提供する。
【００１９】
そして、ＲＸデータプロセッサ２６０は、特定の受信機処理技術に基づいて、ＮＲ個の受信機２５４からのＮＲ個の受信シンボルストリームを受信及び処理して、ＮＴ個の「検出」シンボルストリームを提供する。そして、ＲＸデータプロセッサ２６０は、各検出シンボルストリームを復調、デインターリーブ、及び復号して、データストリームについてのトラフィックデータを復元する。ＲＸデータプロセッサ２６０による処理は、送信機システム２１０でのＴＸ  ＭＩＭＯプロセッサ２２０及びＴＸデータプロセッサ２１４により実行される処理と相補的である。
【００２０】
プロセッサ２７０は、どのプリコーディングマトリクス（後述）使用するかを定期的に決定する。プロセッサ２７０は、マトリクス指標部及びランク値部を含む逆方向リンクメッセージを構築する。
【００２１】
逆方向リンクメッセージは、通信リンク及び／又は受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２２】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２３】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６及び１２２又は図１の基地局（若しくはＡＮ）１００を実現するのに利用可能であり、無線通信システムは、ＮＲシステムであることが好ましい。通信デバイスは、入力デバイス３０２、出力デバイス３０４、制御回路３０６、中央演算処理装置（ＣＰＵ）３０８、メモリ３１０、プログラムコード３１２、及びトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像及び音声を出力することができる。トランシーバ３１４は、無線信号を受信及び送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２４】
図４は、本発明の一実施形態による図３に示すプログラムコード３１２の簡易ブロック図である。本実施形態において、プログラムコード３１２は、アプリケーションレイヤ４００、レイヤ３部４０２、及びレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２５】
次世代（すなわち、５Ｇ）アクセス技術に関する３ＧＰＰ標準化活動は、２０１５年３月から開始されている。新しい無線のアクセス技術は、緊急の市場ニーズとＩＴＵ−Ｒ  ＩＭＴ−２０２０に明記されたより長期的な要件の両方を満たすために以下の３つの利用シナリオファミリをサポートすることを目指している。
−  ｅＭＢＢ（拡張モバイルブロードバンド）
−  ｍＭＴＣ（大規模マシン型通信）
−  ＵＲＬＬＣ（超高信頼低遅延通信）
【００２６】
３ＧＰＰ  ＲＡＮ１は、ＮＲにおいて帯域幅部分（ＢＷＰ）の概念を導入することに合意している。３ＧＰＰ  ＴＲ３８．８０２によれば、キャリア帯域幅をサポートすることができないＵＥに対するデータ送信のためのリソース割り当ては、２段階の周波数領域割り当てプロセス、すなわち帯域幅部分の指示（第１段階）及びその帯域幅部分内のＰＲＢの指示（第２段階）に基づいて導出することができる。
【００２７】
３ＧＰＰ  ＲＡＮ１は、以下のように帯域幅部分に関していくつかの合意に達している。
（外１−１）
2020074581.tif 000003
（外１−２）
2020074581.tif 000004
（外１−３）
2020074581.tif 000005
【００２８】
物理レイヤにおけるＮＲ（New  Radio：新しい無線）ランダムアクセス手順は、以下のように３ＧＰＰ  ＴＲ  ３８．８０２に記載されている。
（外２−１）
2020074581.tif 000006
（外２−２）
2020074581.tif 000007
【００２９】
ＬＴＥでは、ＲＡＣＨ又はＰＲＡＣＨの設定は、以下のように３ＧＰＰ  ＴＳ  ３６．３３１で特定されている。
（外３−１）
2020074581.tif 000008
（外３−２）
2020074581.tif 000009
（外３−３）
2020074581.tif 000010
（外３−４）
2020074581.tif 000011
（外３−５）
2020074581.tif 000012
（外３−６）
2020074581.tif 000013
（外３−７）
2020074581.tif 000014
（外３−８）
2020074581.tif 000015
（外３−９）
2020074581.tif 000016
（外３−１０）
2020074581.tif 000017
【００３０】
ＬＴＥでは、ＰＲＡＣＨでの送信は、３ＧＰＰ  ＴＳ  ３６．２１１で特定されている。
【００３１】
上記に言及されたＮＲにおける帯域幅部分についての現在の合意に基づくと、ＵＥは、関連付けられたヌメロロジを使用してアクティブＤＬ（ダウンリンク）又はＵＬ（アップリンク）帯域幅部分内で、ＤＬのために少なくともＰＤＳＣＨ（物理ダウンリンク共有チャネル）及び／又はＰＤＣＣＨ（物理ダウンリンク制御チャネル）、及び／又はＵＬのためにＰＵＣＣＨ及び／又はＰＵＳＣＨを受信又は送信することのみが想定されている。ＲＡＣＨ（ランダムアクセスチャネル）プリアンブルのためのヌメロロジは、他のＵＬデータ／制御チャネルのためのものとは異なっても、又は同じであってもよいことも合意されている。
【００３２】
一般には、ＲＡＣＨ送信を実行するために、ＵＥはＲＡＣＨ設定に基づいて利用可能なＲＡＣＨリソース（又はＲＡＣＨ機会）を選択する必要がある。追加的に、ＵＥは、１つ又は複数の帯域幅部分（ＢＷＰ）で設定されてよく、複数のＢＷＰのうちの１つがアクティブ（又はアクティブにされる）としてよい。複数のＢＷＰがアクティブ（又はアクティブにされる）であることも可能としてもよい。１つのＢＷＰは、特定のヌメロロジに関連付けられる。異なるＢＷＰは、同じ又は異なるヌメロロジに関連付けられてよい。ＲＡＣＨリソース（又は機会）は、ＵＥの現在アクティブなＢＷＰにおいて利用可能であっても、なくてもよい。
【００３３】
現在アクティブなＢＷＰの外側でＲＡＣＨ送信を実行する（又はＲＡＣＨリソース若しくは機会を選択する）ことは、ＲＦ（無線周波数）の再調整を必要とし、中断を引き起こす。ＵＥは一般には、ＲＡＣＨ送信を実行する前に、そのＲＦを現在アクティブなＢＷＰから、選択されたＲＡＣＨリソース又は機会の周波数に再調整する必要がある。ＲＦの再調整中、ＵＥは、送信又は受信を実行することができない。このように、ＲＦ再調整により中断が生じる。中断は、一定期間、例えば、数十マイクロ秒から数百マイクロ秒まで続く可能性がある。現在アクティブなＢＷＰにおいてＵＥにより使用され得るＲＡＣＨリソース又は機会がない場合、中断は避けられないことがある。しかし、中断を回避するために、現在アクティブなＢＷＰにおいてＵＥにより使用され得るＲＡＣＨリソース又は機会がある場合、ＵＥがその現在アクティブなＢＷＰにおいてＲＡＣＨ送信を実行することが好ましい可能性がある。よりシンプルで効率的であると思われる。
【００３４】
ＵＥは、アクティブなＢＷＰにおいてＵＥにより使用され得るＲＡＣＨリソース又は機会がある場合、アクティブなＢＷＰにおいてＲＡＣＨ送信を実行する（、又はＲＡＣＨリソース若しくは機会を選択する）べきである。アクティブＢＷＰの外側、例えば、現在アクティブではないＢＷＰにおいてＵＥにより使用され得るＲＡＣＨリソース又は機会があることがある。ＵＥは、アクティブなＢＷＰにおいてＵＥにより使用され得るＲＡＣＨリソース／機会がある場合、アクティブなＢＷＰの外側で（例えば、現在アクティブではないＢＷＰにおいて）ＲＡＣＨ送信を実行（、又はＲＡＣＨリソース若しくは機会を選択）しなくてよい。ＵＥは、アクティブなＢＷＰにおいてＵＥにより使用され得るＲＡＣＨリソース又は機会がない場合、アクティブなＢＷＰの外側で（例えば、現在アクティブではないＢＷＰにおいて）ＲＡＣＨ送信を実行（、又はＲＡＣＨリソース若しくは機会を選択する）してよい。ＵＥは、アクティブなＢＷＰにおけるＲＡＣＨリソース又は機会を優先対象として（、又は好んで）よい。ＵＥは、アクティブなＢＷＰの外側のＲＡＣＨリソース又は機会を優先対象としなくてよい（de-prioritize）。ＵＥは、ＲＡＣＨ送信を実行する必要があるときに、ＲＡＣＨリソース又は機会を選択してよい。
【００３５】
例えば、異なるヌメロロジのケース及びＴｘ／Ｒｘビーム対応がｇＮＢで利用可能であるかどうかを考慮して、異なるＰＲＡＣＨ設定がサポートされることが合意されている。一般には、少なくともいくつかのＲＡＣＨ設定は、セルのすべてのＵＥに共通とすべきである（例えば、ＬＴＥにおけるＲＡＣＨ−ＣｏｎｆｉｇＣｏｍｍｏｎ又はＰＲＡＣＨ−ｃｏｎｆｉｇ（詳細については、３ＧＰＰ  ＴＳ  ３６．３３１  ｖ１４．２．０を参照））。ＲＡＣＨ設定は、システム情報によって提供され得る。ＢＷＰ設定及びＢＷＰのアクティブ／非アクティブは、ＵＥ専用である。ＵＥがＲＡＣＨ送信を実行する必要があるときは、ＵＥにとって使用可能な（又は好ましい）ＲＡＣＨリソース又は機会を選択する必要があることがある。例えば、現在アクティブなＢＷＰにおけるＲＡＣＨリソース又は機会が、ＵＥにとって使用可能又は好ましいものと考えられてもよい。しかし、ＵＥは、ＲＡＣＨリソース又は機会がＵＥの現在アクティブなＢＷＰにあるかどうかをＵＥが知らない場合、ＲＡＣＨリソース又は機会を適切に選択することができないことがある。
【００３６】
この問題を解決するために、ＵＥは、どのＲＡＣＨ設定が現在アクティブなＢＷＰに関連付けられるかを知る必要がある。ＲＡＣＨ設定とＢＷＰの関連付けがあるべきであるが、ＲＡＣＨ設定とＢＷＰの関連付けはＵＥに提供されるべきである。本発明の概念は、ＵＥに、ＲＡＣＨ設定をＢＷＰに関連付けるための情報が提供されることである。ＵＥは、その情報及び／又はＵＥの現在アクティブなＢＷＰに基づいて、ＲＡＣＨ送信を実行する（、又はＲＡＣＨリソース又は機会を選択する）。
【００３７】
一実施形態では、その情報は周波数情報であってよい。周波数情報は、ＢＷＰをＲＡＣＨ設定に関連付けるためにＵＥにより使用され得る。ＢＷＰは、ＵＥのアクティブなＢＷＰであってよい。周波数情報は、ＲＡＣＨ設定に含まれてよい。周波数情報は、周波数（例えば、物理リソースブロック（ＰＲＢ））を示すか、又は導出してよい。ＵＥは、周波数情報が現在アクティブなＢＷＰ内の周波数を示す（、又は導出する）場合には、ＲＡＣＨ設定が現在アクティブなＢＷＰに関連付けられると決定してよい。ＵＥは、周波数情報が現在アクティブなＢＷＰの外側の周波数を示す（、又は導出する）場合、ＲＡＣＨ設定が現在アクティブなＢＷＰに関連付けられないと決定してよい。
【００３８】
周波数情報は、１つ以上のＲＡＣＨリソース又は機会の周波数（例えば、物理リソースブロック（ＰＲＢ））を示すか、又は導出するために使用され得る。ＵＥは、周波数情報に基づいて、ＲＡＣＨリソース又は機会が現在アクティブなＢＷＰにあるかどうかを決定することができる。例えば、示された（、又は導出された）周波数が現在アクティブなＢＷＰの周波数範囲内にある場合には、ＵＥは、関連付けられるＲＡＣＨリソース又は機会が現在アクティブなＢＷＰにあると考える。示された（、又は導出された）周波数が現在アクティブなＢＷＰの周波数範囲内にない場合には、ＵＥは、関連付けられるＲＡＣＨリソース又は機会が現在アクティブなＢＷＰの外側にあると考える。
【００３９】
周波数情報によってＲＡＣＨ設定をＢＷＰに関連付ける例を図５に示す。この例では、システム情報は３つのＲＡＣＨ設定（ＲＡＣＨ設定＃１〜＃３）を提供し、各ＲＡＣＨ設定は周波数情報（それぞれ周波数情報＃１〜＃３）を含む。周波数情報は、その対応するＲＡＣＨ設定の周波数位置を示す。ＵＥは、３つのＢＷＰ（ＢＷＰ＃１〜＃３）で設定される。ＵＥのＢＷＰ設定に基づくと、周波数情報＃１はＢＷＰ＃１及びＢＷＰ＃２内にあり、周波数情報＃２はＢＷＰ＃１及びＢＷＰ＃３内にあり、周波数情報＃３はＢＷＰ＃１及びＢＷＰ＃３内にある。そして、ＢＷＰ＃１がアクティブであるときは、ＵＥは、（ＢＷＰ＃１が周波数情報＃１、＃２及び＃３をカバーするので）ＲＡＣＨ設定＃１、＃２及び＃３を使用することができる。ＢＷＰ＃２がアクティブであるときは、ＵＥは、ＲＡＣＨ設定＃１を使用することができる。ＢＷＰ＃３がアクティブであるときは、ＵＥは、ＲＡＣＨ設定＃２及び＃３を使用することができる。さらに、周波数情報をカバーするアクティブなＢＷＰがない場合、ＵＥは、周波数情報に対応するＲＡＣＨ設定を使用しない（少なくとも使用され得る他のＲＡＣＨ設定があるときは）。
【００４０】
その情報は、ＲＡＣＨ設定のインデックス（又は識別情報）であってよい。インデックス（又は識別情報）は、ＲＡＣＨ設定を識別するために使用され得る。インデックス（又は識別情報）は、システム情報に含まれ得る。代替的には、インデックス（又は識別情報）は暗黙的に示されてよく、システム情報に明示的に含まれていなくてよい。例えば、インデックス（又は識別情報）は、システム情報に含まれるＲＡＣＨ設定の構造（又は順序）によって示され、例えば、第１のＲＡＣＨ設定（すなわち、図６のＲＡＣＨ設定＃１）はインデックス１に関連付けられ、第２のＲＡＣＨ設定（すなわち、図６のＲＡＣＨ設定＃２）はインデックス２に関連付けられる等である。
【００４１】
ＢＷＰ設定は、ＢＷＰをＲＡＣＨ設定に関連づけるＲＡＣＨ設定のインデックス（又は識別情報）を含むことができる。ＵＥは、ＲＡＣＨ設定に関連付けられたＢＷＰがアクティブである場合、そのＲＡＣＨ設定を使用可能／好ましいと考えてよい。例えば、ＢＷＰがアクティブにされるとき、ＵＥは、そのＢＷＰに関連付けられたＲＡＣＨ設定を使用可能又は好ましいと考える。ＢＷＰが非アクティブにされるとき、ＵＥは、そのＢＷＰに関連付けられたＲＡＣＨ設定を使用可能な、又は好ましいものではないと考える。
【００４２】
一実施形態では、その情報はシステム情報において提供されてよい。その情報は、ＲＡＣＨ設定に含まれて（、又はこれと共に提供されて）よい、その情報は、ＢＷＰ設定に含まれて（、又はこれと共に提供されて）よい。ＵＥは、複数のＢＷＰで設定されてもよい。設定されたＢＷＰのうちの１つが現在アクティブ（又はアクティブにされている）としてもよい。設定されたＢＷＰのうちの複数のものが現在アクティブ（又はアクティブにされている）としてよい。ＵＥに設定された複数のＢＷＰで利用可能なＲＡＣＨリソースが存在してもよい。ＵＥには、複数のＲＡＣＨ設定が提供されてよい。その情報は、各ＲＡＣＨ設定に含まれる。各ＲＡＣＨ設定は、１つの情報に関連付けられる。各ＲＡＣＨ設定は１つのＢＷＰに関連付けられる。
【００４３】
インデックス情報によってＲＡＣＨ設定をＢＷＰに関連付ける例を図６に示す。この例では、システム情報は３つのＲＡＣＨ設定（ＲＡＣＨ設定＃１〜＃３）を提供し、各ＲＡＣＨ設定はインデックス情報（それぞれインデックス＃１〜＃３）を含む。インデックス情報は、ＲＡＣＨ設定を識別する。ＵＥは、３つのＢＷＰ（ＢＷＰ＃１〜＃３）で設定される。ＢＷＰ設定では、各ＢＷＰはＲＡＣＨ設定の１つのインデックスに関連付けられる。ＢＷＰが複数のインデックスに関連付けられる可能性もある。ＢＷＰがアクティブであるときは、ＵＥは、ＢＷＰ設定に示されたそのＢＷＰに関連付けられたＲＡＣＨ設定を使用することができる。例えば、ＢＷＰ＃１がアクティブであるときは、ＵＥは、ＲＡＣＨ設定＃１を使用することができる。ＢＷＰ＃２がアクティブであるときは、ＵＥは、ＲＡＣＨ設定＃２を使用することができる。ＢＷＰ＃３がアクティブであるときは、ＵＥはＲＡＣＨ設定＃３を使用することができる。現在アクティブなＢＷＰに関連付けられないＲＡＣＨ設定は使用されるべきではない（少なくとも使用可能なＲＡＣＨ設定があるときは）。
【００４４】
一実施形態では、ＲＡＣＨ送信は、ＰＲＡＣＨでの送信、ＲＡプリアンブルの送信、及び／又はＲＡ（ランダムアクセス）手順中の何らかの送信であってよい。ＲＡＣＨ設定は、ＰＲＡＣＨ設定、ＲＡＣＨに関連する設定であってよい。ＲＡＣＨリソースは、ＲＡＣＨ送信のための時間及び／又は周波数リソースであってよい。ＲＡＣＨ機会は、ＲＡＣＨ送信のためにＵＥによって使用され得る時間及び／又は周波数領域での機会であってよい。
【００４５】
図７は、ＵＥの例示的な一実施形態によるフローチャート７００である。ステップ７０５では、ＵＥは、１つのＲＡＣＨ設定を複数のＢＷＰうちの１つのＢＷＰに関連付けるための情報をネットワークノードから受信する。ステップ７１０では、ＵＥは、ＢＷＰに関連付けられたＲＡＣＨ設定を使用してＢＷＰにおいてＲＡＣＨ送信を実行する。
【００４６】
一実施形態では、ＵＥは、その情報がＢＷＰの設定に含まれる場合、ＲＡＣＨ設定がＢＷＰに関連付けられると決定することができる。その情報はＲＡＣＨ設定を識別することができ、その情報はＢＷＰ設定に含まれる。
【００４７】
一実施形態では、ＵＥは、複数のＲＡＣＨ設定で設定され得る。各ＲＡＣＨ設定は、複数のＢＷＰのうちの１つのＢＷＰに関連付けられ得る。
【００４８】
一実施形態では、ＵＥは、ＢＷＰにおいてＰＵＳＣＨ（物理アップリンク共有チャネル）でＵＬ（アップリンク）送信を実行することができる。より具体的には、ＵＥは、スケジューリング許可を示すＤＣＩ（ダウンリンク制御情報）が受信された場合、ＢＷＰにおいてＰＵＳＣＨでＵＬ送信を実行することができる。
【００４９】
一実施形態では、ＵＥは、ＢＷＰをアクティブにするためのシグナリングをネットワークノードから受信することができる。シグナリングは、無線リソース制御（ＲＲＣ）シグナリング、スケジューリング許可を示すダウンリンク制御情報（ＤＣＩ）、又はＭＡＣ（媒体アクセス制御）制御要素とすることができる。ＢＷＰはＵＬ  ＢＷＰとすることができる。ＲＡＣＨ送信は、ランダムアクセスプリアンブルの送信とすることができる。
【００５０】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが（ｉ）１つのＲＡＣＨ設定を複数のＢＷＰうちの１つのＢＷＰに関連付けるための情報をネットワークノードから受信することと、（ｉｉ）ＢＷＰに関連付けられたＲＡＣＨ設定を使用してＢＷＰにおいてＲＡＣＨ送信を実行することと、を行うことを可能にすることができる。さらに、ＣＰＵ３０８は、プログラムコード３１２を実行して、上述の動作及びステップ又は本明細書で説明した他のすべてを実行することができる。
【００５１】
図８は、ネットワークノードの例示的な一実施形態によるフローチャート８００である。ステップ８０５では、ネットワークノードは、１つのＲＡＣＨ設定を１つのＢＷＰに関連付けるための情報をＵＥに送信する。ステップ８１０では、ネットワークノードは、ＢＷＰに関連付けられたＲＡＣＨ設定に従って、ＢＷＰにおいてＲＡＣＨ送信をＵＥから受信する。
【００５２】
一実施形態では、ＵＥは複数のＢＷＰで設定されることができ、ＢＷＰは複数のＢＷＰのうちの１つである。ネットワークノードは、ＢＷＰをアクティブにするためのシグナリングをＵＥに送信することができる。
【００５３】
一実施形態では、ＵＥは、ＢＷＰをアクティブにするためのシグナリングをネットワークノードから受信することができる。そのシグナリングは、ＲＲＣシグナリング、スケジューリング許可を示すＤＣＩ、又はＭＡＣ制御要素とすることができる。ＢＷＰは、ＵＬ（アップリンク）ＢＷＰとすることができる。ＲＡＣＨ送信は、ランダムアクセスプリアンブルの送信とすることができる。
【００５４】
図３及び４に戻って参照すると、ネットワークノードの例示的な一実施形態では、デバイス３００は、メモリ３１０に記憶されたプログラムコード３１２を含む。ＣＰＵ３０８は、プログラムコード３１２を実行して、ネットワークノードが、（ｉ）１つのＲＡＣＨ設定を１つのＢＷＰに関連付けるための情報をＵＥに送信することと、（ｉｉ）ＢＷＰに関連付けられたＲＡＣＨ設定に従って、ＢＷＰにおけるＲＡＣＨ送信をＵＥから受信することと、を行うことを可能にすることができる。さらに、ＣＰＵ３０８は、プログラムコード３１２を実行して、上述の動作及びステップ又は本明細書で説明した他のすべてを実行することができる。
【００５５】
図９は、ネットワークノードの例示的な一実施形態によるフローチャート９００である。ステップ９０５では、ネットワークは、ＲＡＣＨ設定をＢＷＰに関連付けるための情報をＵＥに送信する。
【００５６】
図３及び図４に戻って参照すると、ネットワークの例示的な一実施形態では、デバイス３００は、メモリ３１０に記憶されたプログラムコード３１２を含む。ＣＰＵ３０８は、プログラムコード３１２を実行して、ネットワークが、ＲＡＣＨ設定をＢＷＰに関連づけるための情報をＵＥに送信することを行うことを可能にすることができる。さらに、ＣＰＵ３０８は、プログラムコード３１２を実行して、上述の動作及びステップ又は本明細書で説明した他のすべてを実行することができる。
【００５７】
図１０は、ＵＥの例示的な一実施形態によるフローチャート１０００である。ステップ１００５では、ＵＥは、ＲＡＣＨ設定をＢＷＰに関連付けるための情報を取得する。一実施形態では、ＢＷＰは、ＵＥのアクティブなＢＷＰとすることができる。
【００５８】
ステップ１０１０では、ＵＥは、ＢＷＰに関連付けられたＲＡＣＨ設定を使用して、ＢＷＰにおいてＲＡＣＨ送信を実行する。一実施形態では、ＵＥは、ＲＡＣＨ設定がその情報に基づいてＵＥのアクティブなＢＷＰに関連付けられるかどうかを決定することができる。
【００５９】
一実施形態では、ＵＥは、その情報に基づいてＲＡＣＨ送信のためのＲＡＣＨリソースを選択することができる。例えば、ＵＥのアクティブなＢＷＰに関連付けられたＲＡＣＨリソースを選択する。代替的又は追加的に、ＵＥは、その情報に基づいてＲＡＣＨ送信のためのＲＡＣＨ機会を選択することができる。例えば、ＵＥのアクティブなＢＷＰに関連付けられたＲＡＣＨ機会を選択する。
【００６０】
一実施形態では、ＵＥは、ＲＡＣＨ送信のためにＵＥのアクティブなＢＷＰに関連付けられたＲＡＣＨ設定、ＲＡＣＨリソース、又はＲＡＣＨ機会を優先対象とすることができる。
【００６１】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、ＵＥが、（ｉ）ＲＡＣＨ設定をＢＷＰに関連付けるための情報を取得することと、（ｉｉ）ＢＷＰに関連付けられたＲＡＣＨ設定を使用してＢＷＰにおいてＲＡＣＨ送信を実行することと、を行うことを可能にすることができる。さらに、ＣＰＵ３０８は、プログラムコード３１２を実行して、上述の動作及びステップ又は本明細書で説明した他のすべてを実行することができる。
【００６２】
一実施形態では、その情報は周波数情報を含むことができる。代替的又は追加的に、その情報はＲＡＣＨ設定に含まれ得る。代替的又は追加的に、その情報は、例えば、物理リソースブロックを示す、又は導出することができる。
【００６３】
一実施形態では、ＵＥは、ＲＡＣＨ設定のための情報がＢＷＰ内の周波数を示す場合、ＲＡＣＨ設定をＢＷＰに関連付けることができる。ＵＥは、周波数がアクティブなＢＷＰ内にある場合、ＲＡＣＨ設定はアクティブなＢＷＰに関連付けられると決定することができる。ＵＥは、周波数がアクティブなＢＷＰの外側にある場合、ＲＡＣＨ設定はアクティブなＢＷＰに関連付けられないと決定することができる。
【００６４】
一実施形態では、その情報は、ＲＡＣＨ設定のインデックス（又は識別情報）を含むことができる。その情報は、ＲＡＣＨ設定を識別することができる。その情報は、ＢＷＰ設定に含まれ得る。
【００６５】
一実施形態では、ＵＥは、ＲＡＣＨ設定のための情報がＢＷＰの設定に含まれる場合、ＲＡＣＨ設定をＢＷＰに関連付けることができる。ＵＥは、その情報がアクティブなＢＷＰの設定に含まれる場合、ＲＡＣＨ設定がアクティブなＢＷＰに関連付けられると決定することができる。ＵＥは、その情報がアクティブなＢＷＰの設定に含まれない場合、ＲＡＣＨ設定はアクティブなＢＷＰに関連付けられないと決定することができる。
【００６６】
一実施形態では、その情報はシステム情報に含まれ得る。その情報は、ＲＡＣＨ設定によって暗黙的に示され得る。その情報は、システム情報に含まれるＲＡＣＨ設定のシーケンスによって暗示的に示され得る。
【００６７】
一実施形態では、ＵＥは、その情報を受信することによって、又はシステム情報からその情報を導出することによって、その情報を取得することができる。ＵＥは複数のＢＷＰで設定され得る。
【００６８】
一実施形態では、設定されたＢＷＰのうちの少なくとも１つがアクティブである。ＲＡＣＨリソースは、複数の設定されたＢＷＰで利用可能である。ＵＥには、複数のＲＡＣＨ設定が提供され得る。
【００６９】
一実施形態では、各ＲＡＣＨ設定はその情報を含むことができる。各ＲＡＣＨ設定は、ＢＷＰに関連付けられ得る。
【００７０】
一実施形態では、ＲＡＣＨ送信は、ＰＲＡＣＨ（物理ランダムアクセスチャネル）での送信、ＲＡ（ランダムアクセス）プリアンブルの送信、又はＲＡ手順中のなんらかの送信とすることができる。ＲＡＣＨ設定は、ＰＲＡＣＨの設定を含むことができる。ＲＡＣＨ設定は、ＲＡＣＨ（ランダムアクセスチャネル）に関連する設定を含むことができる。ＲＡＣＨリソースは、ＲＡＣＨ送信のための時間及び／又は周波数リソースを含むことができる。ＲＡＣＨ機会は、ＲＡＣＨ送信のためにＵＥによって使用され得る時間及び／又は周波数領域の機会を含むことができる。
【００７１】
一実施形態では、ＢＷＰはＵＬ  ＢＷＰ及び／又はＤＬ  ＢＷＰとすることができる。ＢＷＰは、送信及び／又は受信のための帯域幅を示すことができる。ＢＷＰ設定は、帯域幅、例えばＰＲＢの数を含むことができる。ＢＷＰ設定は、周波数位置、例えば中心周波数を含むこともできる。さらに、ＢＷＰ設定は、ヌメロロジを含むことができる。
【００７２】
一実施形態では、アクティブなＢＷＰは、アクティブにされたＵＥに設定されたＢＷＰとすることができる。ＢＷＰは、例えば、ネットワークシグナリング介して、アクティブ又は非アクティブにされ得る。
【００７３】
一実施形態では、ＵＥは、そのアクティブなＢＷＰの外側で送信及び／又は受信を実行する必要がなくてもよい。さらに、ＵＥは接続モードにあってもよい。ネットワークノードは、ＮＲ  ｇＮＢとすることができる。
【００７４】
以上、本開示の種々の態様を説明した。当然のことながら、本明細書の教示内容を多種多様な形態で具現化してよく、本明細書に開示されている如何なる特定の構造、機能、又は両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置又はオフセットに基づいて、同時チャネルが確立されてよい。いくつかの態様においては、時間ホッピングシーケンスに基づいて、同時チャネルが確立されてよい。いくつかの態様において、パルス繰り返し周波数、パルス位置又はオフセット、及び時間ホッピングシーケンスに基づいて、同時チャネルが確立されてよい。
【００７５】
当業者であれば、多様な異なるテクノロジ及び技術のいずれかを使用して、情報及び信号を表わしてよいを理解するであろう。例えば、上記説明全体で言及されることがあるデータ、命令、コマンド、情報、信号、ビット、シンボル、及びチップは、電圧、電流、電磁波、磁場若しくは粒子、光場若しくは粒子、又はこれらの任意の組合せによって表わしてよい。
【００７６】
さらに、当業者には当然のことながら、本明細書に開示された態様に関連して説明した種々の例示的な論理ブロック、モジュール、プロセッサ、手段、回路、及びアルゴリズムステップは、電子的ハードウェア（例えば、ソースコーディング又はその他何らかの技術を用いて設計することがあるデジタル実装、アナログ実装、又はこれら２つの組合せ）、命令を含む種々の形態のプログラム若しくは設計コード（本明細書においては便宜上、「ソフトウェア」又は「ソフトウェアモジュール」と称されることがある）、又は両者の組合せとして実装されてよい。このハードウェア及びソフトウェアの互換性を明確に示すため、種々の例示的な構成要素、ブロック、モジュール、回路、及びステップを、概略的にそれぞれの機能の側面から上述した。そのような機能がハードウェアとして実装されるか、ソフトウェアとして実装されるかは、特定用途及びシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【００７７】
追加的に、本明細書に開示される態様に関連して説明した種々の例示的な論理ブロック、モジュール、及び回路は、集積回路（「ＩＣ」）、アクセス端末、又はアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、又は本明細書で説明した機能を実行するように設計されたこれらの任意の組合せを含み、ＩＣ内、ＩＣ外、又はその両方に存在するコード又は命令を実行してよい。汎用プロセッサは、マイクロプロセッサとしてよいが、代替として、プロセッサは、従来の任意のプロセッサ、コントローラ、マイクロコントローラ、又は状態機械としてよい。また、プロセッサは、ＤＳＰとマイクロプロセッサとの組合せ、複数のマイクロプロセッサ、ＤＳＰコアと協働する１つ以上のマイクロプロセッサ、又はその他任意のこのような構成である、コンピュータデバイスの組合せとして実装されてよい。
【００７８】
任意の開示プロセスにおけるステップの如何なる特定の順序又は階層は、実例的な手法の一例であることが了解される。設計の選好に基づいて、プロセスにおけるステップの特定の順序又は階層を、本開示の範囲内に留まりつつ、再構成してよいことが了解される。添付の方法の請求項は、種々のステップの要素を実例的な順序で示しており、提示の特定順序又は階層に限定されることを意図していない。
【００７９】
本明細書に開示される態様に関連して記載された方法又はアルゴリズムのステップを、ハードウェアにおいて直接具現化してよく、プロセッサにより実行されるソフトウェアモジュールにおいて具現化してよく、これら２つの組合せにおいて具現化してよい。（例えば、実行可能な命令及び関連するデータを含む）ソフトウェアモジュール及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出し及び記憶媒体への情報の書き込みが可能である。実例的な記憶媒体は、プロセッサと一体化されてよい。プロセッサ及び記憶媒体は、ＡＳＩＣに存在してよい。ＡＳＩＣは、ユーザ機器に存在していてもよい。代替として、プロセッサ及び記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様において、コンピュータプログラム製品は、パッケージング材料を含んでよい。
【００８０】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、又は適応を網羅することを意図している。
【図１】
2020074581.tif 000018
【図２】
2020074581.tif 000019
【図３】
2020074581.tif 000020
【図４】
2020074581.tif 000021
【図５】
2020074581.tif 000022
【図６】
2020074581.tif 000023
【図７】
2020074581.tif 000024
【図８】
2020074581.tif 000025
【図９】
2020074581.tif 000026
【図１０】
2020074581.tif 000027